(57)【要約】【課題】  絵画の厚みの違いに対応し、繰り返し使用を可能にする。【解決手段】  鞘本体１と、鞘本体１に延設した第１及び第２のカバー２，３との組み合わせからなっている。鞘本体１は、方形の基板４の周辺の２辺に互いに直交する立上り部５ａ，５ｂが形成され、残りの２辺及び上面が開放された有底の筐体であり、基板４は、開放された２辺に跨って一定範囲が斜め方向に削去されて実質的に略３角形に形成されている。第１及び第２のカバー２，３は、鞘本体１の上面開口を開閉するものであり、鞘本体１に残された互いに直交する２辺の立上り部５ａ，５ｂを延長させて上方に一定高さに立ち上がらせた平板部分であり、その板面には、一定の範囲にわたって鞘本体１の立上り部５ａ，５ｂの上縁と平行に各カバー２，３の板面を折曲させる複数のヒンジ部６ａ，６ｂがそれぞれ直線状に並列に形成されている。【選択図】  図１
2012218772.tif 000002
【特許請求の範囲】
【請求項１】
鞘本体と、鞘本体に延設した第１及び第２のカバーとの組み合わせからなるコーナーパッドであって、
鞘本体は、方形の基板の周辺の２辺に互いに直交する立上り部が形成され、残りの２辺及び上面が開放された有底の筐体であり、
第１及び第２のカバーは、鞘本体の上面開口を開閉するものであり、鞘本体に残された互いに直交する２辺の立上り部を延長させて上方に一定高さに立ち上がらせた平板部分であり、
第１及び第２のカバーの板面には、一定の範囲にわたって鞘本体の立上り部の上縁と平行に各カバーの板面を折曲させる複数のヒンジ部がそれぞれ直線状に並列に形成され、
鞘本体の基板は、開放された２辺に跨って一定範囲が斜め方向に削去されて実質的に略３角形に形成されているものであることを特徴とするコーナーパッド。
【請求項２】
前記基板の内底面にはクッションシートが貼り付けられ、周辺２辺の直交する立上り部の内面にはそれぞれクッションシートに比べて相対的に肉厚のクッションブロックが取り付けられ、第１のカバーの内面には、前記クッションブロックに比べて軟らかく伸縮性に富んだクッションブロックが取り付けられていることを特徴とする請求項１に記載のコーナーパッド。
【請求項３】
前記第１のカバーは、絵画の厚みに対応する位置のヒンジ部で折り曲げて先に鞘本体の上面開口上に折り曲げられるものであり、
第２のカバーは、第１のカバーの厚みを含めた絵画の厚みに対応する位置のヒンジ部で折り曲げて第１のカバー上に折り重ねるものであり、
第１のカバーと第２のカバーとは面ファスナーによって脱着可能に接合されるものであることを特徴とする請求項１に記載のコーナーパッド。
【請求項４】
鞘本体は補強並びに養生層を有し、
補強並びに養生層は、鞘本体の互いに直交する立上り部の外面に跨って貼り付けられ、鞘本体を補強して一定形状に保形し、且つ運搬の際にコーナーパッドが建物の床の傷つきを防止するものであることを特徴とする請求項１に記載のコーナーパッド。
【請求項５】
鞘本体の２辺の立ち上り部から延設した第１及び第２のカバーは、ハニカム構造のプラスチックボードであり、
プラスチックボードのハニカム構造は、外面シートと、内面シート間を６角形の稠密構造のハニカムのマトリックスで挟んでサンドイッチ構造に構成したものであり、基板と両立上り部との境界線並びに第１及び第２のカバーの板面に形成する折り曲げ用の複数のヒンジ部は、ボードの外面シートをヒンジ部として残し、内面シート側からハニカムのマトリックスの列を溶融させたものであることを特徴とする請求項１に記載のコーナーパッド。
【請求項６】
鞘本体の基板の２辺の立ち上り部から延設した第１及び第２のカバーは、押し出し成形によるストロータイプのプラスチックボードであり、外面シートと、内面シート間を一定間隔ごとに並列方向に配列された多列の隔壁によって支えた構造を有し、第１及び第２のカバーの板面に形成する折り曲げ用の複数のヒンジ部は、ボードの裁断の際に、ヒンジ部の折り曲げ線の一部範囲を打ち抜くことによって形成されたものであることを特徴とする請求項１に記載のコーナーパッド。
【請求項７】
鞘本体の基板の外面には、絵画の表面を覆う隔離板を脱着可能に取り付ける面ファスナーを設けたことを特徴とする請求項１に記載の記載のコーナーパッド。
【発明の詳細な説明】
【技術分野】
【０００１】
本発明は絵画の輸送の際し、絵画の四隅に取り付けて絵画の破損、損傷を有効に保護するコーナーパッドに関する。
【背景技術】
【０００２】
絵画の輸送は、展覧会への出品、あるいは逆に展覧会からの撤去の際に必要である。そして絵画の輸送の際には、運搬時に受ける外部からの衝撃から絵画や額縁を保護するための対策が必要である。通常その保護対策としては絵画の梱包のほか、簡単には額縁の四隅にコーナーパッドを取り付けるだけでも傷つきやすい額縁の角を有効に保護することができる。
【０００３】
しかしながら展覧会に出品された絵画の運搬のケースを調査した結果では必ずしも額縁の四隅にコーナーパッドを取り付けるだけの対策すら有効に行われていないようである。新国立美術館、東京都美術館に出品された絵画の年間約７万件（したがって搬入、搬出された絵画の総数１４万件）の例をみると、絵画の四隅にパッドが取り付けられていたのは１４万件中、約３０％に当たる４２０００件であったという報告がある。今まで展覧会に出品された絵画について有効な保護が講じられていない理由については様々な事情が考えられるが、その理由の１つに、コーナーパッドの材質、構造に問題があったのではないかと考えられる。
【０００４】
従来よりコーナーパッドはダンボール紙製のものが殆どであった。特許文献１には、従来例として図１５に示す中空２等辺３角形の中空体に組立てたコーナーパッドの構造を取り上げ、この構成のコーナーパッドではコーナーパッドそのものにて保護すべき梱包体である平板に筋状の傷を生じさせるという問題点を指摘し、平板にかかる局部的な過大荷重を緩和して平板の上下面に筋状の傷を生じることを有効に防止できるコーナーパッドを提案している。
【０００５】
改良されたコーナーパッドは、図１６に示すように上下の第１の上下壁部３１の前縁３２から延出部３３を延出して梱包すべきパネルの上下面に添設させるとともに延出部３３の中央に第１の上下壁部３１の前縁３２に平行な段押し３４を内側方からプレス加工により突設したというものであるが、構造が改良されたといっても、略正方形の単一のダンボール紙などの１枚のボール紙シートを折り曲げて平面視直角二等辺三角形状の定型のコーナーパッドに組立てるという点においては基本的に従来構造と同じである。
【０００６】
ところで、絵画、例えば油絵は通常、枠に張られるか、あるいは木の板か厚紙に接着されたキャンバスに描かれ、絵画の大きさについては号数が０から５００号まであってその縦横の寸法はさまざまであり、さらに額縁に収められることもあって、その厚みは一定ではない。本発明においては、枠に張られるか、木の板か厚紙に接着されたキャンバス及び額縁に収められたキャンバスを含めて絵画と称している。
【０００７】
然るにボール紙シートを折り曲げて一定形状に組立てられたコーナーパッドは、絵画の縦横の寸法の違い（号数の違い）には同じ大きさ、同じ形状で対応できるにしても、単一の種類のコーナーパッドでは、厚みの違いには対応することができず、厚みが違う多種類のコーナーパッドを準備しておかなければならない。もっとも、コーナーパッドにボール紙シートを用いるという発想は、予め一定形状に裁断されたボール紙シートを折り曲げるだけで組み立てできるため構造は簡単ではあるものの重要な絵画の破損防止の機能としては必ずしも十分ではなく、また使用後は再利用されることなく殆どが廃棄処分されるため、資源やエネルギーに無駄が生じるという問題がある。
【先行技術文献】
【特許文献】
【０００８】
【特許文献１】特開平９−４００２０
【発明の概要】
【発明が解決しようとする課題】
【０００９】
解決しようとする問題点は、ダンボール紙などのボール紙シートを用いた絵画輸送用のコーナーパッドは、絵画の厚みごとに多種類を準備しなければならず、しかも絵画の破損防止の機能としては必ずしも十分ではなく、また使用後は再利用されることなく殆どが廃棄処分されるため、資源やエネルギーに無駄が生じるという点である。
【課題を解決するための手段】
【００１０】
上記課題を解決するために、本発明のコーナーパッドにおいては、上面が開放された鞘本体と、該鞘本体の上面開口を開閉可能に覆う第１及び第２のカバーとの組合わせからなり、鞘本体の底部を絵画の表面隅部に、両立上り部を絵画隅部の２面の厚み部分にあてがい、本体の両立上り部に延設された各カバーを絵画裏面上に折り曲げさらに両カバー部分を互いに接合して絵画の四隅に取り付けるものである。特にカバー部分を多段に折曲可能として絵画の厚みの違いに対応できる点を最大の特徴とする。
【発明の効果】
【００１１】
本発明によるコーナーパッドにおいては、繰り返し使用が可能であり、絵画の厚みの違いにも自由に対応でき、また、鞘本体と、カバーとにプラスチックボード、特にハニカム構造又は押し出し成形によるストロータイプのプラスチックボードを用いることによって、軽量にもかかわらず強靭で安定性に優れ、カバーの多段折り曲げ構造を簡単に実現でき、さらに絵画の隅部各面をクッションブロックで支えて外部から加えられる衝撃から絵画を有効に保護することができる。
【図面の簡単な説明】
【００１２】
【図１】本発明の１実施例を示すコーナーパッドを開いた状態を示す図である。
【図２】コーナーパッドの第１のカバーを閉じた状態を示す図である。
【図３】さらに第１のカバーの上に第２のカバーを折り重ねた状態を示す図である。
【図４】第１のカバーの上に第２のカバーを折り重ねた状態を鞘本体の基板外面側から見た図である。
【図５】（ａ）、（ｂ）は絵画の厚みによって第１のカバーの折り曲げ位置が変化する状態を示した図、（ｃ）はクッションで絵画を支えた状態を示す図である。
【図６】本発明によるコーナーパッドの展開図である。
【図７】（ａ）はコーナーパッドに用いるハニカム構造のプラスチックボードの部分拡大図、（ｂ）は（ａ）の縦断面図である。
【図８】本発明のコーナーパッドを絵画の四隅に取り付けた状態を示す絵画の正面図である。
【図９】本発明のコーナーパッドを絵画の四隅に取り付けた状態を示す絵画の裏面図である。
【図１０】（ａ）は隔離板の表面図、（ｂ）は裏面図である。
【図１１】（ａ）は絵画の表面を隔離板で覆った状態を示す図、（ｂ）は（ａ）の平面図である。
【図１２】（ａ）は保管時に２個のコーナーパッドを一体に結合した状態を示す図、（ｂ）は、４個のコーナーパッドを組み合せた状態を示す図である。
【図１３】（ａ）はコーナーパッドに用いる押し出し成形によるストロータイプのプラスチックボードの部分拡大図、（ｂ）は（ａ）の縦断面図である。
【図１４】ストロータイプのプラスチックボードを用いたコーナーパッドの展開図である。
【図１５】従来のコーナーパッドの１例を示す図である。
【図１６】特許文献１に記載されたコーナーパッドの構造を示す図である。
【発明を実施するための形態】
【００１３】
本発明は、鞘本体と、鞘本体の基板の立上り部２面より上方に延設した第１及び第２のカバーとの組み合わせからなるコーナーパッドである。以下、本発明の実施の形態をハニカム構造のプラスチックボードを用いた場合の例について説明する。
【００１４】
（コーナーパッドの基本構成）
図１において、本発明は、鞘本体１と、鞘本体１に延設した第１及び第２のカバー２、３との組み合わせからなるコーナーパッド１２である。鞘本体１は、方形の基板４の周辺の２辺に互いに直交する立上り部５ａ、５ｂが形成され、残りの２辺及び上面が開放された有底の筐体である。なお、図１に示すように鞘本体１の基板４は、開放された２辺に跨って一定範囲が斜め方向に削去され、実質的に１面が開放された略３角形の立体に形成されている。
【００１５】
第１及び第２のカバー２、３は鞘本体１に残された２辺の立上り部５ａ、５ｂを延長させて上方に一定高さに立ち上がらせた平板部分である。したがって、第１及び第２のカバー２、３は互いに直交して鞘本体１に取り付けられる。図１では、第１及び第２のカバー２、３と立上り部５ａ、５ｂとの関係をわかりやすく示すため、第１及び第２のカバー２、３を外側に倒した状態を示している。
【００１６】
また、第１及び第２のカバー２，３の板面には一定の範囲にわたって鞘本体１の立上り部５ａ、５ｂの上縁と平行に各カバーの板面を折曲させる複数のヒンジ部６ａ、６ａ、・・・、６ｂ、６ｂ、・・・がそれぞれ直線状に並列に形成されている。鞘本体１の内面にはクッションが取り付けられている。すなわち、基板４の内底面にはクッションシート７が貼り付けられ、周辺２辺の直交する立上り部５ａ、５ｂの内面にはそれぞれクッションシート７に比べて相対的に肉厚のクッションブロック８ａ、８ｂが取り付けられ、第１のカバー２の内面には、クッションブロック８ａ、８ｂに比べて軟らかく緩衝性に富んだクッションブロック９が取り付けられている。
【００１７】
クッションシート７及びクッションブロック８ａ、８ｂおよび９は例えば合成樹脂発泡体であり、搬送すべき絵画の隅部の表面並びに厚み部分を保護するものであり、第１のカバー２の下面のクッションブロック９は、絵画の厚みの違いに追従してクッションの厚みを変化させるものである。
【００１８】
なお、コーナーパッドの組立ての際には、図２に示すように、鞘本体１の基板４のクッションシート７上に絵画Ｐを受入れ、絵画Ｐのコーナーを直交する立上り部５ａ、５ｂのクッションブロック８ａ、８ｂに支えた状態で先ず第１のカバー２を絵画の厚みに対応する位置のヒンジ部６ａで折り曲げて先に鞘本体１の上面開口上に折り曲げ、ついで第１のカバー２上に第２のカバー３を第１のカバー２の厚みを含めた絵画Ｐの厚みに対応する位置のヒンジ部６ｂで折り曲げて図３のように両カバー２，３を上下に重ねて固定する。
【００１９】
第１のカバー２の外面及び第２のカバー３の内面には折り重ねた両カバー２，３を脱着可能に固定するため、それぞれ面ファスナーＳＦ１，ＳＦ２が取り付けられている。面ファスナーＳＦ１，ＳＦ２はいずれが雄型または雌型であってもよい。なお、第２のカバー３の内面の面ファスナーＳＦ２は、方形で相対的に小型の形状のものでよいが、第１のカバー２の外面の面ファスナーＳＦ１は、折り曲げ位置のずれに対応して相対的に長く、しかも傾斜状に取り付けておく必要がある。
【００２０】
図４は、両カバー２，３を上下に重ねて固定した状態を鞘本体１の基板４側から見た図である。基板４の外面には、面ファスナーＳＦ４と、ＳＦ５ａとＳＦ５ｂとが取り付けられている。面ファスナーＳＦ４は、基板４のコーナーから開口方向に向けて斜め方向に取り付けられたものであり、面ファスナーＳＦ５ａとＳＦ５ｂとは、面ファスナーＳＦ４を挟んで面ファスナーＳＦ４に直交してクロス状に取り付けられたものである。この実施例においては、面ファスナーＳＦ４に雌型、面ファスナーＳＦ５ａとＳＦ５ｂのいずれか１方が雄型、この実施例ではＳＦ５ａが雌型、ＳＦ５ｂに雄型を用いた例を示している。面ファスナーＳＦ４（雌型）は、後述するように隔離板の面ファスナーＳＦ３（雄型）に貼り付けるためのものであり、面ファスナーＳＦ５ａ（雌型）、ＳＦ５ｂ（雄型）は、不使用時にコーナーパッド１２の対を互いに結合して保管するためのものである。なお、図３に明らかなように互いに直交する立上り部５ａ、５ｂの外面に跨って補強並びに養生層１０が貼り付けられ、鞘本体１を補強して一定形状に保形し、且つ運搬の際にコーナーパッドが建物の床などに触れても床を傷つけることがないように対応している。
【００２１】
図５に、絵画の厚みの違いに対応する要領を示す。図５（ａ）は厚みが薄い絵画の場合、図５（ｂ）は厚みが厚い絵画の場合である。厚みが相対的に薄い絵画の場合には、図５（ａ）のように第１のカバー２は、立上り部５ａに近い側のヒンジ部６ａ１から折れ曲げられ、絵画の厚みＨ１に対応し、厚みが相対的に厚い絵画の場合には、図５（ｂ）のように第１のカバー２は、立上り部５ａから離れた側のヒンジ部６ａｎで折れ曲がって絵画の厚みＨ２（Ｈ２＞Ｈ１）に対応させる。ここではクッションブロック９の厚みを無視してＨ１、Ｈ２を表示した。
なお、クッションブロック９は、図５（ｃ）に示すように絵画Ｐの裏面側にあてがわれ、カバー２に抑えられ、絵画Ｐの形状になじんで圧縮変形して絵画を支え、衝撃から保護する。
【００２２】
本発明によるコーナーパッドの展開形状を図６に示す。鞘本体１の基板４の直交する２辺にそれぞれ立上り部５ａ、５ｂの形成部分を確保し、それそれの外縁から延長方向に第１および第２のカバー部２、３の形成部分が一体に形成され、基板４上にはクッションシート７、両立上り部５ａ、５ｂにはクッションブロック８ａ、８ｂ、第１のカバー２にはクッションブロック９をそれぞれ予め貼り付けておく。
【００２３】
組立てに際しては、基板４と各立上り部５ａ及び５ｂとの各境界線Ｌ１、Ｌ２に沿って折曲し、直角に立ち上げられた両立上り部５ａ、５ｂの外面に跨って補強用外壁及び養生層１０を貼り付けることによって基板４に対し、各立上り部５ａ及び５ｂを垂直姿勢に保形して定型に組立てる。なお、補強用外壁及び養生層１０は、養生層の面を外側にして張り付けるのは言うまでもない。
【００２４】
（コーナーパッドの実施例）
本発明において、鞘本体１及び鞘本体１の２辺の立ち上り部５ａ、５ｂから延設した第１及び第２のカバー２，３にハニカム構造のプラスチックボードを用いた例である。プラスチックボードのハニカム構造は、図７（ａ）、（ｂ）に示すように外面シート１１ａと、内面シート１１ｂ間に６角形の稠密構造のハニカムのマトリックス１１を挟んでサンドイッチ構造に構成したものである。ハニカム構造のプラスチックボードは、望ましくはポリプレンハニカムボードであり、ポリプレンのハニカムボードとして岐阜プラスチック工業株式会社製のＴＥＣＣＥＬＬ（登録商標）が好適である。このハニカムボード（ＴＥＣＣＥＬＬ）には曲げ剛性１．５〜３倍、曲げ強度２〜３倍、ＡＳＴＭ−Ｃ３９３の試験にて１０００ｇ／ｍ2のプラダン比の特性が得られている。
【００２５】
実施例においては、鞘本体１の２辺の立上り部５ａ、５ｂの外面には、鞘本体１と同じ材質のハニカムボードによる補強壁を貼り付けて鞘本体１を定型に保形すると共に強度を確保し、さらに補強壁の外面に緩衝シートを貼り付けてコーナーパッドの補強並びに養生層１０を構成している。
【００２６】
なお、ポリプレンのハニカムボード（ＴＥＣＣＥＬＬ（登録商標））を用いることによって基板４と両立上り部５ａ、５ｂとの境界の折曲線Ｌ１、Ｌ２並びに第１及び第２のカバー２、３の板面に形成する折り曲げ用の複数のヒンジ部６ａ、６ｂは、ボードの外面シート１１ａを残し、内面シート１１ｂ側からハニカムのマトリックス１１の列を単に溶融させ、これを除去することにより多段の熱罫線が形成され、残された外面シート１１ａがヒンジ部となって各ヒンジの列ごとに容易に屈曲できる。
【００２７】
本発明において、寸法２１０×２１０×７５ｍｍのコーナーパッドで、第１及び第２のカバーのシート面に立上り部の上縁からヒンジ部として１２ｍｍ間隔で５本の熱罫線を引いたものを用いたところ、厚さが５０ｍｍから８０ｍｍの絵画に対応することができた。
【００２８】
（絵画の梱包要領）
次に本発明によるコーナーパッド１２を用いて絵画Ｐを梱包する要領を説明する。本発明によるコーナーパッド１２は、図８に示すように絵画の四隅に取り付けるが、取り付けに際しては、鞘本体１の基板４の外面を絵画Ｐの表面（図が描かれた面）Ｓ側に向け、絵画Ｐの隅の２辺をコーナーパッド１２の２辺の立上り部にあてがう。一方、図９（ａ）に示すように絵画Ｐの裏面Ｂ側は、前述の図１〜図３の要領で先ず第１のカバー２を絵画Ｐの裏面側に折曲し、その上に第２のカバー３を押し付けて第１のカバー２の上に折り重ね、第１のカバー外面の面ファスナーＦＳ１に第２のカバー３の面ファスナーＦＳ２を接合して両カバー２、３を結合させる。
【００２９】
これによって第１のカバー２のクッションブロック９が圧縮され、コーナーパッド１２は絵画から落下することなく絵画Ｐに定着する。同様の操作を絵画Ｐの四隅に対して行う。さらに、絵画Ｐの表面Ｓには隔離板１３をあてがう。隔離板１３には、図１０（ａ）に示すように表面側１３Ｓには何もなく、四隅は運搬時に建物の床などに接触してもこれを傷つけることがないように曲面に加工されている。一方、裏面側１３Ｂには、図１０（ｂ）に示すようにコーナーパッドの基板４に付された面ファスナーＳＦ４（雌型）に対応して雄型の面ファスナーＳＦ３が斜め方向に取り付けられている。
【００３０】
この面ファスナーＳＦ３を鞘本体１の基板４の外面に予め取り付けられた面ファスナーＳＦ４に貼り付け、図１１（ａ）に示すように絵画Ｐの表面Ｓを隔離板１３で覆い、絵画Ｐに隔離板１３を定着させた状態で搬送を行う。隔離板１３は、面ファスナーによって絵画Ｐの四隅のコーナーパッド１２に取り付けられ、絵画Ｐの表面と、隔離板１３の板面との間には、一定の緩衝距離（約１ｃｍ）が確保され、隔離板１３の板面に加えられるかもしれない衝撃から絵画を有効に保護する。面ファスナーＳＦ３が斜め方向に取り付けられているのは、絵画の大きさの大小に適用するためである。図１０（ｂ）に隔離板１３に適用できる絵画の大きさの関係を示す。隔離板１３に斜め方向に取り付けられた面ファスナーＳＦ３の長さの範囲内でコーナーパッド１２の取付位置を調整して最大ＰｍａｘからＰｍｉｎの範囲内で絵画の大きさの違いに対応することができる。
【００３１】
本発明によれば、絵画の搬送中に受けるかもしれない外部からの衝撃から絵画の表面はもとより四隅の角を有効に保護し、また、搬送中に建物の床上を引きずって絵画が運ばれることがあっても、絵画の四隅を覆うコーナーパッド１２の鞘本体１の外面に取り付けられた補強並びに養生層１０の緩衝によって建物の床を傷つけることがない。
【００３２】
搬送先では、絵画から隔離板１３を取り外し、絵画の四隅からコーナーパッドを取り外す。取り外した４個のコーナーパッドは回収し、あるいは搬入先で保管して繰り返し使用するが、回収あるいは保管に際しては、図１２（ａ）に示すように第１のカバー２を折り曲げ、その外面に第２のカバー３を折り重ねた状態で第１のコーナーパッド１２ａと、第２のコーナーパッド１２ｂとを互いに向き合わせれば、それぞれのコーナーパッドの基板外面に取り付けられた一方の面ファスナーＳＦ５ａ（雄型）と、他方の面ファスナーＳＦ５ｂ（雌型）とが自ずから向き合って互いに貼り付けられる。さらに互いに結合されたコーナーパッド１２ａ、１２ｂの２組を図１２（ｂ）のように上下に交互に嵌め合わせれば、合計４個のコーナーパッドを１組としてコンパクトに保管することができる。
【００３３】
以上実施例においては、鞘本体１及び鞘本体１の２辺の立ち上り部５ａ、５ｂから延設した第１及び第２のカバー２，３にハニカム構造のプラスチックボードを用いた例を説明した。ハニカム構造のプラスチックボード（岐阜プラスチック工業株式会社製のＴＥＣＣＥＬＬ（登録商標））によれば軽量で保形性に優れ、強靭なコーナーパッドが得られるが、必ずしもハニカム構造のプラスチックボードに限らず、押し出し成形によるストロータイプのプラスチックボードを用いることによってより構造を簡略化でき、しかも成形性に優れたコーナーパッドが得られる。
【００３４】
押し出し成形によるストロータイプのプラスチックボードは、図１３（ａ）、（ｂ）に示すように外面シート２８ａと、内面シート２８ｂ間を一定間隔ごとに並列方向に配列された多列の隔壁２８によって支えた構造を有するものである。図１４に押し出し成形によるストロータイプのプラスチックボードを用いたコーナーパッドの展開図を示す。この場合にも鞘本体２１の基板２４の直交する２辺にそれぞれ立上り部２５ａ、５ｂの形成部分を確保し、各立上り部２５ａ、２５ｂの外縁からその延長方向に向けて第１および第２のカバー部２，３の形成部分を形成されるのは図６のハニカム構造のプラスチックボードを用いる場合と全く同じである。
【００３５】
図示は省略するが、基板２４上にはクッションシート、両立上り部２５ａ、２５ｂにはクッションブロック、第１のカバー２２にはクッションブロックをそれぞれ貼り付けるのも図６のハニカム構造のプラスチックボードを用いる場合と全く同じである。この実施例においても、基板２４と両立上り部２５ａ、２５ｂとの境界の折曲線Ｌ１、Ｌ２並びに第１及び第２のカバー２２、２３の板面に折り曲げ用の複数のヒンジ部２６ａ、２６ｂを形成するが、押し出し成形によるストロータイプのプラスチックボードの場合に、境界の折曲線Ｌ１、Ｌ２に沿って板面を傷つけておけば、その線に沿って隔壁２８と平行方向あるいは直角方向に板面を折り曲げることができる。
【００３６】
また多段のヒンジ部２６ａ、２６ｂの形成に際しては、ボードの裁断の際に、ヒンジ部２６ａ、２６ｂは、折曲線の一部範囲を打ち抜き、折曲線に沿ったスリット２７を形成しておくことによって、多段の折曲線を容易に形成することができる。コーナーパッドの組立て並びに絵画の梱包要領は先の実施例と同じであるため、その説明は省略する。コーナーパッドの材料に押し出し成形によるストロータイプのプラスチックボードを用いることによって、強度、絵画の保形性を損なうことなく更に軽量化を図ることができ、簡易なコーナーパッドとして好適である。
【産業上の利用可能性】
【００３７】
本発明によるコーナーパッドによれば、展覧会への絵画の出品、あるいは逆に展覧会からの絵画の撤去の際に用いるほか、絵画に限らず、太陽光パネルや建築用窓枠などとしった精密機器パネル、型枠、建材、その他平板状の物品の輸送にも広く適用することができる。
【符号の説明】
【００３８】
１  鞘本体、２，３  カバー、４  基板、５ａ，５ｂ  立上り部、６ａ，６ｂ，６ａ1，６ａｎ  ヒンジ部、７  クッションシート、８ａ，８ｂ，９クッションブロック、１０  補強並びに養生層、ＳＦ１〜ＳＦ４  面ファスナー、１１  ハニカムのマトリックス、１１ａ，２８ａ  外面シート、１１ｂ，２８ｂ  内面シート、１２  コーナーパッド、１３  隔離板、２１  鞘本体、２２，２３  カバー、２４  基板、２５ａ，２５ｂ  立上り部、２６ａ，２６ｂ  ヒンジ部、２７  スリット、２８  隔壁
【図１】
2012218772.tif 000003
【図２】
2012218772.tif 000004
【図３】
2012218772.tif 000005
【図４】
2012218772.tif 000006
【図５】
2012218772.tif 000007
【図６】
2012218772.tif 000008
【図７】
2012218772.tif 000009
【図８】
2012218772.tif 000010
【図９】
2012218772.tif 000011
【図１０】
2012218772.tif 000012
【図１１】
2012218772.tif 000013
【図１２】
2012218772.tif 000014
【図１３】
2012218772.tif 000015
【図１４】
2012218772.tif 000016
【図１５】
2012218772.tif 000017
【図１６】
2012218772.tif 000018